【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
電源から負荷に供給される駆動電流を制御する電流駆動素子と、
前記電流駆動素子の動作を制御する制御手段と、
前記電流駆動素子の温度を直接的または間接的に検出する温度センサと、
その温度センサの検出結果に基づいて、前記電流駆動素子が異常に発熱して温度が過剰に高くなっている温度異常状態かどうかを判定し、温度異常状態と判定した場合には、前記電流駆動素子の電力損失が低減するような制御を前記制御手段に実行させる保護手段とを備え、
前記負荷は、デッドショートを含まない通常使用状態では過大電流が流れない性質を有するヒーターであることを特徴とする負荷駆動制御装置。
【請求項２】
請求項１に記載の負荷駆動制御装置において、
前記保護手段は、温度異常状態と判定した際に、前記制御手段が前記電流駆動素子の通常制御中であれば、前記電流駆動素子がフルオン固定状態になるような制御を前記制御手段に実行させることを特徴とする負荷駆動制御装置。
【請求項３】
請求項２に記載の負荷駆動制御装置において、
前記保護手段は、温度異常状態と判定した際に、前記制御手段が前記電流駆動素子をフルオン固定状態に制御中であれば、前記電流駆動素子をフルオン固定状態にした場合よりも電力損失が低損失になるような制御を前記制御手段に実行させることを特徴とする負荷駆動制御装置。
【請求項４】
電源から負荷に供給される駆動電流を制御する電流駆動素子と、
前記電流駆動素子の動作を制御する制御手段と、
前記電流駆動素子をバイパスして前記電源から前記負荷に駆動電流を供給するバイパス手段と、
前記電流駆動素子の温度を直接的または間接的に検出する温度センサと、
その温度センサの検出結果に基づいて、前記電流駆動素子が異常に発熱して温度が過剰に高くなっている温度異常状態かどうかを判定し、温度異常状態と判定した場合には、前記電流駆動素子がフルオフ固定状態になるような制御を前記制御手段に実行させると共に、前記バイパス手段から前記負荷に駆動電流を供給させる保護手段とを備え、
前記負荷は、デッドショートを含まない通常使用状態では過大電流が流れない性質を有するヒーターであることを特徴とする負荷駆動制御装置。
【請求項５】
請求項１〜４のいずれか１項に記載の負荷駆動制御装置において、
前記制御手段は、前記電流駆動素子をＰＷＭ制御することを特徴とする負荷駆動制御装置。
【請求項６】
請求項５項に記載の負荷駆動制御装置において、
前記電力損失が低損失になるような制御は、デュ−ティ比を低い値にするか、スイッチング周波数を低い値に設定したことを特徴とする負荷駆動制御装置。
【請求項７】
請求項１〜４のいずれか１項に記載の負荷駆動制御装置において、
前記制御手段は、前記電流駆動素子をリニア制御することを特徴とする負荷駆動制御装置。
【手続補正２】
【補正対象書類名】明細書
【補正対象項目名】００１０
【補正方法】変更
【補正の内容】
【００１０】
請求項１に記載の発明は、
電源（１１）から負荷（１７）に供給される駆動電流を制御する電流駆動素子（２１）と、
前記電流駆動素子の動作を制御する制御手段（１５，２２，２３）と、
前記電流駆動素子の温度を直接的または間接的に検出する温度センサ（２５）と、
その温度センサの検出結果に基づいて、前記電流駆動素子が異常に発熱して温度が過剰に高くなっている温度異常状態かどうかを判定し、温度異常状態と判定した場合には、前記電流駆動素子の電力損失が低減するような制御を前記制御手段に実行させる保護手段（２４）とを備え、
前記負荷は、デッドショートを含まない通常使用状態では過大電流が流れない性質を有するヒーターである負荷駆動制御装置（１０）をその技術的特徴とする。
【手続補正３】
【補正対象書類名】明細書
【補正対象項目名】００１３
【補正方法】変更
【補正の内容】
【００１３】
請求項４に記載の発明は、 
電源（１１）から負荷（１７）に供給される駆動電流を制御する電流駆動素子（２１）と、
前記電流駆動素子の動作を制御する制御手段（１５，２２，２３）と、
前記電流駆動素子をバイパスして前記電源から前記負荷に駆動電流を供給するバイパス手段（３１）と、
前記電流駆動素子の温度を直接的または間接的に検出する温度センサ（２５）と、
その温度センサの検出結果に基づいて、前記電流駆動素子が異常に発熱して温度が過剰に高くなっている温度異常状態かどうかを判定し、温度異常状態と判定した場合には、前記電流駆動素子がフルオフ固定状態になるような制御を前記制御手段に実行させると共に、前記バイパス手段から前記負荷に駆動電流を供給させる保護手段（１５，２４）とを備え、
前記負荷は、デッドショートを含まない通常使用状態では過大電流が流れない性質を有するヒーターである負荷駆動制御装置（３０，４０）をその技術的特徴とする。
【手続補正４】
【補正対象書類名】明細書
【補正対象項目名】００１４
【補正方法】変更
【補正の内容】
【００１４】
請求項５に記載の発明は、
請求項１〜４のいずれか１項に記載の負荷駆動制御装置において、
前記制御手段（１５，２２，２３）は、前記電流駆動素子（２１）をＰＷＭ制御することを技術的特徴とする。
請求項６に記載の発明は、
請求項５に記載の負荷駆動制御装置において、
前記電力損失が低損失になるような制御は、デュ−ティ比を低い値にするか、スイッチング周波数を低い値に設定したことを特徴とする。
【手続補正５】
【補正対象書類名】明細書
【補正対象項目名】００１５
【補正方法】変更
【補正の内容】
【００１５】
請求項７に記載の発明は、
請求項１〜４のいずれか１項に記載の負荷駆動制御装置において、
前記制御手段（１５，２２，２３）は、前記電流駆動素子（２１）をリニア制御することを技術的特徴とする。
【手続補正６】
【補正対象書類名】明細書
【補正対象項目名】００２９
【補正方法】変更
【補正の内容】
【００２９】
＜請求項５、６＞
請求項５の発明によれば、制御手段（１５，２２，２３）が電流駆動素子（２１）をＰＷＭ制御する負荷駆動制御装置を実現できる。
請求項６の発明によれば、電力損失を低損失になるような制御は、デュ−ティ比を低い値にするか、スイッチング周波数を低い値に設定する。
そして、請求項３の発明に請求項５と請求項６の発明を従属させた場合、電流駆動素子をフルオン固定状態にした場合よりも電力損失（スイッチング損失）が低損失になるような制御とは、例えば、電流駆動素子を制御するための制御信号のデューティ比を低い値（低デューティ側）に設定した制御や、当該制御信号のスイッチング周波数を低い値に設定した制御などである。
ここで、デューティ比やスイッチング周波数の具体値は、電流駆動素子のスイッチング損失が十分に低減されるように、カット・アンド・トライで実験的に最適値を見つけて設定すればよい。
【手続補正７】
【補正対象書類名】明細書
【補正対象項目名】００３０
【補正方法】変更
【補正の内容】
【００３０】
＜請求項７＞
請求項７の発明によれば、制御手段（１５，２２，２３）が電流駆動素子（２１）をリニア制御する負荷駆動制御装置を実現できる。
そして、請求項３の発明に請求項７の発明を従属させた場合、電流駆動素子をフルオン固定状態にした場合よりも電力損失が低損失になるような制御とは、例えば、電流駆動素子がＰチャネルＭＯＳトランジスタの場合には、電流駆動素子を制御するための制御信号の電圧値を高い値に設定した制御であり、電流駆動素子がＮチャネルＭＯＳトランジスタの場合には当該制御信号の電圧値を低い値に設定した制御である。
ここで、制御信号の電圧値の具体値は、電流駆動素子の電力損失が十分に低減されるように、カット・アンド・トライで実験的に最適値を見つけて設定すればよい。